(57)【要約】【課題】光源を使って傘自体を発光させられる傘において、光源の点灯／消灯を簡便かつ確実なものにすること。【解決手段】この傘は傘自体が発光するようにＬＥＤ１２が内蔵されており、傘を開くとＬＥＤ１２が点灯し、傘を閉じるとＬＥＤ１２が消灯する構成である。【選択図】図１
2009078084.tif 000002
【特許請求の範囲】
【請求項１】
傘自体が発光するように光源が内蔵された傘において、
傘を開くと前記光源が点灯し、傘を閉じると前記光源が消灯することを特徴とする傘。
【請求項２】
傘の閉操作において下ハジキに下ろくろを掛け止めたときに前記光源が消灯し、傘の開操作において下ハジキ周辺から下ろくろを移動させたときに前記光源が点灯することを特徴とする請求項１に記載の傘。
【請求項３】
前記下ろくろを掛け止める下ハジキの周辺にボタンスイッチを有し、該ボタンスイッチが前記下ろくろで押されているときに前記光源が消灯し、該ボタンスイッチが前記下ろくろで押されていないとき前記光源が点灯することを特徴とする請求項２に記載の傘。
【請求項４】
前記傘を開いた状態であっても規定以上の明るい光を感知すると前記光源を消灯させる受光素子をさらに有することを特徴とする請求項１から３のいずれかに記載の傘。
【請求項５】
傘の構成部品であるハンドル、中棒、石突、親骨、露先のうち少なくとも一つが透光性部材で形成され、該透光性部材に前記光源の光を入射し該透光性部材の内部で透過拡散させるように構成されたことを特徴とする請求項１から４のいずれかに記載の傘。
【請求項６】
傘の構成部品であるハンドル、中棒、石突、親骨、露先のうち少なくとも一つが透光性部材で形成され、該透光性部材の中に前記光源を一つ以上配設して前記ハンドル、中棒、石突、親骨、露先のうち少なくとも一つを発光させるように構成されたことを特徴とする請求項１から４のいずれかに記載の傘。
【請求項７】
前記透光性部材がグラスファイバーよりなることを特徴とする請求項５または６に記載の傘。
【請求項８】
前記光源がＬＥＤよりなることを特徴とする請求項１から７のいずれかに記載の傘。
【発明の詳細な説明】
【技術分野】
【０００１】
本発明は、傘自体を発光させられるように作られた傘に関する。
【背景技術】
【０００２】
雨の日は視界が悪くなるため、傘を差す人にとって危険度が高くなる。そのうえ夜間となると視認性がもっと悪くなるため、傘を差して歩く人は自転車や自動車などと接触し易くなる。
【０００３】
現在は周囲からの視認性を良くするために、反射テープを服に付けたり、傘に貼り付けたりしている。この反射テープは相手が自動車のライトのような光量の多いものだとうまく反射するが、自転車のライトのように光量の少ないものだと反射されにくいということがあった。
【０００４】
そこで、傘を構成する部位にＬＥＤを埋め込むことで、傘自体を発光させて周囲からの視認性を良くしようとするものが提案されている。この方式は傘自体が発光するため、反射テープでは必要だった他からの光が必要でない。
【０００５】
このように光る傘の例としては、特許文献１に開示されるように、傘の中棒、石突、親骨、露先などの少なくとも一つを透光性部材で形成し、透光性部材内にＬＥＤ光を導入することで、傘自体を発光させるものがある。
【特許文献１】特開平９−３２２８１３号公報
【発明の開示】
【発明が解決しようとする課題】
【０００６】
しかしながら、引用文献１に開示された傘は、傘の開閉操作に関係なく、ハンドルに設けられたスイッチ部のオン・オフ操作でＬＥＤが点灯／消灯する構成になっている。このような構成では、ＬＥＤ点灯のためのスイッチ部を別途設ける必要がある。また、傘を開いてもスイッチを押さなければ傘が発光しない。そして傘を閉じる前にスイッチを押さなければ消灯できず、消し忘れも起こり得る。また、閉じられた傘の収納時に誤ってスイッチが押され点灯してしまう虞もある。このように引用文献１に開示された傘は、光源の点灯／消灯が簡便でなく、また確実なものでなかった。
【０００７】
そこで本発明の目的は、上述した課題の少なくとも一つを解決することにある。
【課題を解決するための手段】
【０００８】
本発明の傘は、傘自体が発光するように光源が内蔵されており、傘を開くと前記光源が点灯し、傘を閉じると前記光源が消灯することを特徴とする。
【発明の効果】
【０００９】
本発明によれば、光源を使って傘自体を発光させられる傘において、光源の点灯／消灯を簡便かつ確実なものにすることができる。
【発明を実施するための最良の形態】
【００１０】
以下、本発明の実施例について図面を参照して説明する。
【００１１】
図１は本発明の実施例による傘を示し、（ａ）はその外観図、（ｂ）は骨組みの構成図である。
【００１２】
図１に示すように傘の基本構成として、中棒１の上端に石突２が設けられ、中棒１の下部にハンドル３が設けられている。石突２の下方には上ろくろ４が中棒１と固定されている。上ろくろ４の側壁に周方向に間隔をおいて数本の親骨５の一端が軸支されている。各親骨５の先端には露先６が嵌合している。そして、シート７が、その中央部を中棒１の上端から貫通させて固定した後、親骨５および露先６に固着されている。中棒１には、ハンドル３と上ろくろ４の間で上下に動ける下ろくろ８が設けられ、下ろくろ８と各親骨５の略中央部とが受骨９で軸支連結されている。これにより、全ての親骨５が、下ろくろ８の上下の動きに連動して、中棒１を中心とした放射方向に開閉するようになっている。また、中棒１には、傘を開いたとき落ちないように下ろくろ８を留めておく上ハジキ１０と、傘を閉じたときに自然に開かないように下ろくろ８を掛け止める下ハジキ１１とが設けられている。
【００１３】
以上のような傘を構成する部品のうち少なくとも中棒１と親骨５は、光の入射で発光できるようにグラスファイバーで構成されている。勿論、石突２、露先６、ハンドル３についてもグラスファイバーで構成しても構わない。このグラスファイバーは傘に使用するのに十分な強度を持つものである。また、グラスファイバー以外でも、使用上十分な強度を持ち、かつ、内部に入射された光の透過拡散によって、外側から発光するように見える透光性部材であれば使用することは可能である。
【００１４】
本実施例では中棒１と親骨５を発光させる光源としてＬＥＤ１２が用いられている。ＬＥＤ１２はハンドル３の内部に、グラスファイバー製の中棒１の下端面へ光を入射させられるように内蔵されている。さらに、ハンドル３の内部には、ＬＥＤ１２の点灯回路（図１には図示せず）やこの点灯回路を駆動するための電池などが内蔵されている。尚、光源としてはＬＥＤ１２が長寿命なので好ましいが、豆電球に替えてもよい。
【００１５】
図２は本実施例による傘の点灯方式を説明するための図で、（ａ）は傘を閉じたとき、（ｂ）は傘を開いたときを示す。図３は本実施例による傘のＬＥＤを点灯させるための点灯回路を示す図である。
【００１６】
傘を閉じたとき、下ろくろ８は図２（ａ）に示すように下ハジキ１１に係合し留まる。このときに下ろくろ８によってボタンスイッチ１３が押下されるように、ボタンスイッチ１３は中棒１の下ハジキ１１の周辺に設けられている。ボタンスイッチ１３が押されているときは、図３から分かるように回路がオープンになってＬＥＤ１２に電流は流れずＬＥＤ１２は消灯する。
【００１７】
一方、傘を開いたとき下ろくろ８は図２（ｂ）に示すように下ハジキ１１の位置から上移動し、ボタンスイッチ１３を押さえないので、ボタンスイッチ１３が復帰するようになっている。ボタンスイッチ１３が復帰すると、図３から分かるように回路がクローズ状態になるのでＬＥＤ１２に電流が流れてＬＥＤ１２は点灯する。
【００１８】
点灯したＬＥＤ１２の光は、グラスファイバー製の中棒１の下端面から入り、中棒１内を透過拡散して進み、中棒１の上端部に達する。これにより、中棒１全域が明るく発光する。さらに、中棒１の上端部に達したＬＥＤ光を、グラスファイバーからなる石突２、親骨５および露先６にも進入させれば、これらも明るく発光させることができる。このため、夜間において傘を差す人に対する視認性を向上させることができる。尚、中棒１と、この上部に軸支された可動部である親骨５との間には光ファイバーを使用して光伝達を行えばよい。また、シート７の材料は、普通の生地でも構わないが、傘の外側から発光状態がよく分かるように透光性を有しているものがより好ましい。
【００１９】
また本実施例は、傘を開くと自動で点灯する方式であるため、昼間などの明るいときでもＬＥＤ１２が点灯してしまう。それを防ぐため、図２に例示するように、傘を差しているときに上方を向く部分（ハンドル３の先の部分）に受光素子であるフォトトランジスタ１４を埋め込み、昼間のように明るい光を感知するとＬＥＤ１２が点灯しない構造にしてある。
【００２０】
すなわち、図３から分かるように、フォトトランジスタ１４の一部であるフォトダイオード（不図示）に光が入ると、フォトトランジスタ１４のコレクタ−エミッタ間に電流が流れ、ＬＥＤ１２に直列接続された別のトランジスタ１５のベース−エミッタ間には電流は流れなくなる。そのため、ボタンスイッチ１３がオン状態でも、ＬＥＤ１２に直列接続された別のトランジスタ１５のコレクタ−エミッタ間に電流が流れなくなりＬＥＤ１２が消灯する。但し、フォトトランジスタ１４は、ＬＥＤ１２による中棒１や親骨５などの発光でＬＥＤ１２を消灯させないものとする。そのため、中棒１や親骨５などの発光程度ではトランジスタのコレクタ−エミッタ間がオン状態にならないもの（すなわち、中棒１や親骨５などの発光よりも強い規定以上の明るさ（ルクス）を感知するとオン状態になるもの）が選択される。このような回路構成により、昼間などの明るいときに傘は発光せず普通の傘として使用できる。
【００２１】
以上本発明について実施例を挙げて説明したが、本発明の技術思想を逸脱しない範囲において、図示した構成や材料に限定することなく、上記実施例を適宜変更することも可能である。例えば、上述した実施例ではＬＥＤ１２の光を中棒１内に通して傘を発光させているが、本発明の技術思想には、透光性を有する中棒１や親骨４などの傘の構成部品の中に部品長さ方向に沿って一つ以上の光源（ＬＥＤや豆電球など）を配設した構成も含まれる。
【図面の簡単な説明】
【００２２】
【図１】本発明の実施例である傘を示し、（ａ）はその外観図、（ｂ）は骨組みの構成図である。
【図２】本発明の実施例による傘の点灯方式を説明するための図で、（ａ）は傘を閉じたとき、（ｂ）は傘を開いたときを示す。
【図３】本発明の実施例による傘のＬＥＤを点灯させるための点灯回路を示す図である。
【符号の説明】
【００２３】
１    中棒
２    石突
３    ハンドル
４    上ろくろ
５    親骨
６    露先
７    シート
８    下ろくろ
９    受骨
１０    上ハジキ
１１    下ハジキ
１２    ＬＥＤ
１３    ボタンスイッチ
１４    フォトトランジスタ
１５    トランジスタ
【図１】
2009078084.tif 000003
【図２】
2009078084.tif 000004
【図３】
2009078084.tif 000005